(57)【要約】【課題】  具備されたキーを用いて複数のキーを一体化させ、キートップを付け替えることなく、複数のキーを同時押下させる複数キーを一体化する構造を有するキーユニットを提供する。【解決手段】  複数のキーを有する情報装置において、前記２以上のキーを同時に押下した場合に単独で当該キーを押下した場合と異なる押下情報または前記押下されたキーのいずれかまたは全ての押下情報を前記情報装置へ出力するキーユニットであって、２つの隣接するキーを係合させるために前記２つの隣接するキーの一方に設けた嵌合爪と、前記嵌合爪を設けたキーと対向するキーに設けた前記嵌合爪と嵌合する嵌合孔と、前記２以上の隣接するキーの間隙に設けたスライド溝と、を有し、前記スライド溝によって前記２つの隣接するキーをスライドさせて嵌合し、前記２つの隣接するキーを同時に押下させる。【選択図】    図７
2017191394.tif 000002
【特許請求の範囲】
【請求項１】
複数のキーを有する情報装置において、前記２以上のキーを同時に押下した場合に単独で当該キーを押下した場合と異なる押下情報または前記押下されたキーのいずれかまたは全ての押下情報を前記情報装置へ出力するキーユニットであって、
２つの隣接するキーを係合させるために前記２つの隣接するキーの一方に設けた嵌合爪と、
前記嵌合爪を設けたキーと対向するキーに設けた前記嵌合爪と嵌合する嵌合孔と、
前記２以上の隣接するキーの間隙に設けたスライド溝と、を有し、
前記スライド溝によって前記２つの隣接するキーをスライドさせて嵌合し、前記２つの隣接するキーを同時に押下させることを特徴とする複数キーを一体化する構造を有するキーユニット。
【請求項２】
請求項１に記載のキーユニットにおいて、
前記２つの隣接するキーを囲いスライドを補助するガイド部品をさらに有し、
前記ガイド部品は、
前記情報装置に係合し、前記２つの隣接するキーのスライドする方向に対し略直角方向に自ガイド部品を摺動する摺動部と、
前記２つの隣接するキーの一方のキーのみをスライドする力が印可された場合に前記２つの隣接するキーと接触して前記摺動部による自ガイド部品の摺動を防止する摺動防止部と、を有し、
前記２つの隣接するキーを同時にスライドする力が印可された場合にのみスライドする構造を有することを特徴とする複数キーを一体化する構造を有するキーユニット。
【発明の詳細な説明】
【技術分野】
【０００１】
本発明は、複数のキーを有する情報装置における複数キーを一体化する構造を有するキーユニットに関する。
【背景技術】
【０００２】
従来の情報装置において、例えばビジネス電話機の外線キーのように同形状の複数のキーを有し、外線キーの数を変動させ、使用される環境に応じて対応を可能にするものがある。
【０００３】
上記のような複数のキーを持つ情報装置において、キートップを大きなキーに付け替える事で複数のキーをまとめ、大きなキーを形成して操作性を改善するための構造がある（例えば特許文献１）。
【０００４】
しかしながら、上述した特許文献1に記載の構造では、元々具備されているキーを個々に外し、新たに大きなキーを取り付ける作業が発生してしまう。さらに、元に戻す必要が生じた場合を考え、外したキーを保管しておかなければならず、不便であった。
【先行技術文献】
【特許文献】
【０００５】
【特許文献１】特開２００１−１２５７１１号公報
【発明の概要】
【発明が解決しようとする課題】
【０００６】
そこで、本発明の課題は、具備されたキーを用いて複数のキーを一体化させ、キートップを付け替えることなく、隣接する押下キーのキートップを嵌合して一体化する構造を有し、押下キーの押下有効面積の変更が柔軟なキーユニットを提供することにある。
【課題を解決するための手段】
【０００７】
上記課題を解決するために、本発明は、複数のキーを有する情報装置において、前記２以上のキーを同時に押下した場合に単独で当該キーを押下した場合と異なる押下情報または前記押下されたキーのいずれかまたは全ての押下情報を前記情報装置へ出力するキーユニットであって、  ２つの隣接するキーを係合させるために前記２つの隣接するキーの一方に設けた嵌合爪と、前記嵌合爪を設けたキーと対向するキーに設けた前記嵌合爪と嵌合する嵌合孔と、前記２以上の隣接するキーの間隙に設けたスライド溝と、を有し、前記スライド溝によって前記２つの隣接するキーをスライドさせて嵌合し、前記２つの隣接するキーを同時に押下させることを特徴とする。
【発明の効果】
【０００８】
本発明によれば、元々具備されたキーを用いて複数のキーを一つのキーとして押下させる、あるいは一体化させたキーを容易に元の複数のキーに戻す事が可能となり、別のキーを用意する必要も無く、外したキーの保管も必要が無い押下キーの押下有効面積の変更が柔軟な複数キーを一体化する構造を有するキーユニットを提供できる。
【図面の簡単な説明】
【０００９】
【図１】本発明の実施形態に係る装置の構成を示す斜視図
【図２】ケース１１を示す斜視図
【図３】凹キー２１および凸キー３１を示す斜視図
【図４】ガイド部材４１を示す斜視図
【図５】コンタクトラバー５１の斜視図
【図６】回路基板６１の斜視図
【図７】キーの交換方法を示す斜視図
【発明を実施するための形態】
【００１０】
以下、本発明の実施の形態について、図を用いて説明する。本実施形態において、図１は、本発明の装置の構成を示す斜視図である。(a)は全体像を示す。(b)は内部配置を示す。
【００１１】
本実施例における装置は機能が割り振られた同形状の複数のキーが設けられた電子機器であり、筐体のケース１１と、複数キーの一つである凹キー２１と、凹キー２１と対になる同じ機能を有する凸キー３１と、凹キー２１と凸キー３１を内側に配置するガイド部材４１と、凸キー２１と凹キー３１と接触するコンタクトラバー５１と、コンタクトラバー５１と接触する回路基板６１から構成される。
【００１２】
図２は、ケース１１を示す斜視図である。(a)はケース１１の背面視点からの図を示す。(b)は凹キー２１および凸キー３１の係合を示す詳細図Aである。ケース１１には凹キー２１と凸キー３１が係合する孔１２が複数設けられている。またケース１１にはガイド部材４１が嵌合する爪１３が孔１２の両端部に1対設けられている。
【００１３】
図３は、凹キー２１と凸キー３１を示す斜視図である。凹キー２１には凸キー３１と嵌合する嵌合孔２２が設けられている。また凸キー３１には凹キー２１の嵌合孔２２に挿入し嵌合する嵌合爪３２が設けられている。凹キー２１と凸キー３１はケース１１の孔１２と係合する。  
【００１４】
図４は、ケース１１と凹キー２１と凸キー３１と係合するガイド部材４１を示す斜視図である。ガイド部材４１にはケース１１に設けられた1対の爪１３が挿入されるガイド穴４２が1対設けられている。また、ガイド部材４１には凹キー２１と凸キー３１が同時に摺動することを抑制する段差４３が一対設けられている。また凹キー２１と凸キー３１がガイド部材４１内で摺動する際に移動方向をガイドする斜面４４が設けられている。  
【００１５】
図５は、凹キー２１と凸キー３１と接合するコンタクトラバー５１を示す斜視図である。コンタクトラバー５１には凹キー２１や凸キー３１が押下された場合に、押下された方向に撓み後述する回路基板６１に接触して導通させるカーボン接点部５２が設けられている。
【００１６】
図６は、回路基板６１を示す斜視図である。回路基板６１にはカーボン接点部５２が接触する複数の接点６２が設けられている。回路基板６２には凹キー２１や凸キー３１のコンタクトラバー５１を介した導通による入力を割り当てられた一つの機能として出力する制御をする制御ソフトウェアが設けられている。
【００１７】
図７は、本発明のキー合体構造を示す斜視図である。(a)は全体図を示す。(b)は凹キー２１と凸キー３１が嵌合していない状態の図を示す。(c)は凹キー２１と凸キー３１が嵌合している状態の図を示す。
【００１８】
図７(b)が本発明における複数のキーを有する電子機器において個々のキーとして機能を果たす状態であり、凹キー２１と凸キー３１が嵌合せずに離れている。キーが離れ独立している状態からキー同士を嵌合する場合、(c)のE方向に凸キー３１を摺動させ、同時に凹キー２１をF方向へと摺動させる。摺動によって凸キー３１と凹キー２１は同時に摺動させた際に移動方向をガイドする斜面４４上を移動しガイド部材４１はH方向へ移動する。これにより凹キー２１の嵌合孔２２に凸キー３１の嵌合爪３２が挿入され嵌合される。嵌合において互いの摺動は同時に行わなければならず、片方だけの移動の場合、摺動を抑制する段差４３によってガイド部材の移動が阻害されるため凹キー２１と凸キー３１は嵌合しない。  図7(c)の連結された状態から個々のキーに戻す場合には、連結した凹キー２１と凸キー３１を(b)の凹キー２１はD方向へ、凸キーはC方向へ同時に引っ張ることで嵌合の解除が可能である。
【００１９】
以上、本発明の実施形態について説明した。本発明の実施形態によれば、電子機器に具備されたキーのほかに交換用のキーを用意する事無く凹キー２１と凸キー３１の移動のみによって一つのキーとして使用することが出来る。
【符号の説明】
【００２０】
１１  ケース
１２  孔
１３  ガイド部材と係合する爪
２１  凹形状が設けられたキー
２２  嵌合孔
３１  凸形状が設けられたキー
３２  嵌合爪
４１  ガイド部材
４２  ガイド穴
４３  摺動を抑制する段差
４４  移動方向をガイドする斜面
５１  コンタクトラバー
５２  カーボン接点部
６１  回路基板
６２  接点
【図１】
2017191394.tif 000003
【図２】
2017191394.tif 000004
【図３】
2017191394.tif 000005
【図４】
2017191394.tif 000006
【図５】
2017191394.tif 000007
【図６】
2017191394.tif 000008
【図７】
2017191394.tif 000009